(57)【要約】【課題】画像と楽曲音声との整合がとれた音楽付きスライドショーを再生できる再生情報ファイルを生成するための再生情報ファイル生成プログラムの提供。【解決手段】コンピュータを、楽曲音声ファイルの再生時間や出力用記録媒体の容量等を参照して定められる基準再生時間から、動画ファイルに基づき表示手段により画像が表示される時間を除いた時間に対して、各々の静止画像ファイルに基づき表示手段により画像が表示される時間が所定の割付方法で割り付られるように再生情報ファイルを生成する手段として機能させるものであり、静止画像ファイル、動画ファイル及び楽曲音声ファイルと共に再生情報ファイルが記録媒体に記録されるため、画像と楽曲音声の整合が図られた一体感のある音楽付きスライドショーを再生することができる。【選択図】図６
2004343471.tif 000002
【特許請求の範囲】
【請求項１】
コンピュータを、入力された静止画像ファイル及び動画ファイルに基づき、表示手段に画像を表示させるための再生ファイルを生成する手段として機能させる再生情報ファイル生成プログラムにおいて、
基準再生時間から、前記動画ファイルに基づき前記表示手段により画像が表示される時間を除いた時間に対して、各々の前記静止画像ファイルに基づき前記表示手段により画像が表示される時間が所定の割付方法で割り付られるように再生情報ファイルが生成されることを特徴とする再生情報ファイル生成プログラム。
【請求項２】
コンピュータを、入力された静止画像ファイル及び動画ファイルに基づき、表示手段に画像を表示させ、かつ、入力された楽曲音声ファイルに基づき、発音手段に楽曲音声を発音させるための再生ファイルを生成する手段として機能させる再生情報ファイル生成プログラムにおいて、
前記楽曲音声ファイルの再生時間を参照して定められる基準再生時間から、前記動画ファイルに基づき前記表示手段により画像が表示される時間を除いた時間に対して、各々の前記静止画像ファイルに基づき前記表示手段により画像が表示される時間が所定の割付方法で割り付られるように再生情報ファイルが生成されることを特徴とする再生情報ファイル生成プログラム。
【請求項３】
各々の前記静止画像ファイルに基づき前記表示手段により画像が表示される時間が、所定時間以上になるように前記再生情報ファイルが生成されることを特徴とする請求項１又は２に記載の再生情報ファイル生成プログラム。
【請求項４】
前記基準再生時間から前記動画ファイルに基づき前記表示手段により画像が表示される時間を引いた時間をＴｂ、前記静止画像ファイルの数をｎ、各々の前記静止画像ファイルに基づき前記表示手段により画像が表示される時間の最小値をＡとした場合に、Ｔｂ／ｎ＞Ａの場合は前記静止画像ファイル毎の表示時間をＴｂ／ｎに設定し、Ｔｂ≦Ａの場合は、前記静止画像ファイル毎の表示時間をＡに設定するように前記再生情報ファイルが生成されることを特徴とする請求項１又は２に記載の再生情報ファイル生成プログラム。
【請求項５】
前記静止画像ファイルに予め楽曲音声情報が関連付けられた静止画像ファイルを含み、前記基準再生時間からは、前記動画ファイル及び前記予め楽曲音声情報が関連付けられた静止画像ファイルに基づき前記表示手段により画像が表示される時間が除かれ、前記予め楽曲音声情報が関連付けられた静止画像ファイルを除く各々の静止画像ファイルに基づき前記表示手段により画像が表示される時間が所定の割付方法で割り付られるように再生情報ファイルが生成されることを特徴とする請求項１乃至４のいずれか一に記載の再生情報ファイル生成プログラム。
【発明の詳細な説明】
【０００１】
【発明の属する技術分野】
本発明は、パソコン等のコンピュータ機器やＤＶＤプレーヤー、ＤＶＤレコーダー等の画像再生機器で音楽付きスライドショーを再生するための再生情報ファイルを生成する再生情報ファイル生成プログラムに関する。
【０００２】
【従来の技術】
近年、写真画像に関する様々なサービスが提供されている。例えば、フィルムカメラで撮影した写真画像の場合は、ラボ等のフォトサービス店舗やコンビニエンスストア等の注文店舗にユーザが撮影したネガフィルムを持ち込むと、フォトサービス店舗では、ネガフィルムを現像した後、スキャナ等で写真画像を読み取り、読み取った静止画像ファイルをＣＤ−Ｒ等の記録媒体に書き込んでユーザに提供するサービスが行われている。また、デジタルカメラで撮影した写真画像の場合も、デジタルカメラやデジタルカメラ用の記録媒体に記録された静止画像ファイルをＣＤ−Ｒ等の記録媒体にバックアップするサービスが行われている（例えば、特開平５−１８２３７３号公報等）。
【０００３】
このようなサービスを利用することにより、ユーザはパソコン等のコンピュータ機器で写真画像を再生することができる。また、静止画像ファイルと共に楽曲音声ファイルや動画ファイルを記録媒体に書き込むことにより、スライドショーソフトを用いてこれらのデータを音楽付きスライドショーとして表示する等の様々な処理を行うことができる。
【０００４】
【特許文献１】
特開平５−１８２３７３号公報（第４−６頁、第３図）
【０００５】
【発明が解決しようとする課題】
ＣＤ−Ｒ等の記録媒体に記録されているファイルを用いてスライドショーソフトで音楽付きスライドショーを実行する場合、静止画像ファイルを表示する際には記録された楽曲音声ファイルをＢＧＭとして再生し、動画ファイルを再生する際には動画ファイルに含まれる楽曲音声ファイルを再生することができるが、静止画像ファイルと動画ファイルとを混在させてスライドショーを実行する場合、静止画像ファイルに基づく画像を表示する際の楽曲音声ファイルと動画ファイルに基づく画像を表示する際の楽曲音声ファイルとの関連性がなく、又、静止画像ファイルが楽曲音声ファイルの再生時間に関係なく割り付けられて再生されるため、画像と楽曲音声との整合がとれた一体感のあるスライドショーを再生することができないという問題がある。
【０００６】
また、近年、ＤＶＤプレーヤーやＤＶＤレコーダーのような機器（以下、ＤＶＤ等を記録媒体として用いる機器を画像再生機器と呼ぶ。）が販売されており、画像再生機器は一般の家電製品と同様に簡単な操作で画像や音声を再生することができ、かつ、画像を高精細に再生することができることから広く普及している。そこで、静止画像ファイルや動画ファイル、楽曲音声ファイルを画像再生機器用に変換して記録媒体に書き込みことにより画像再生機器でもスライドショーを再生することはできるが、この場合でも、楽曲音声ファイルの関連性がなく、又、静止画像ファイルに基づく動画データが楽曲音声ファイルの再生時間に関係なく割り付けられて再生されるため、画像と楽曲音声との整合がとれた一体感のあるスライドショーを再生することができない。
【０００７】
本発明は、上記問題点に鑑みてなされたものであって、その主たる目的は、パソコン等のコンピュータ機器でもＤＶＤプレーヤー、ＤＶＤレコーダーのような画像再生機器でも、画像と楽曲音声との整合がとれた音楽付きスライドショーを再生できる再生情報ファイルを生成するための再生情報ファイル生成プログラムを提供することにある。
【０００８】
【課題を解決するための手段】
上記目的を達成するため、本発明は、コンピュータを、入力された静止画像ファイル及び動画ファイルに基づき、表示手段に画像を表示させるための再生ファイルを生成する手段として機能させる再生情報ファイル生成プログラムにおいて、基準再生時間から、前記動画ファイルに基づき前記表示手段により画像が表示される時間を除いた時間に対して、各々の前記静止画像ファイルに基づき前記表示手段により画像が表示される時間が所定の割付方法で割り付られるように再生情報ファイルが生成されるものである。
【０００９】
また、本発明は、コンピュータを、入力された静止画像ファイル及び動画ファイルに基づき、表示手段に画像を表示させ、かつ、入力された楽曲音声ファイルに基づき、発音手段に楽曲音声を発音させるための再生ファイルを生成する手段として機能させる再生情報ファイル生成プログラムにおいて、前記楽曲音声ファイルの再生時間を参照して定められる基準再生時間から、前記動画ファイルに基づき前記表示手段により画像が表示される時間を除いた時間に対して、各々の前記静止画像ファイルに基づき前記表示手段により画像が表示される時間が所定の割付方法で割り付られるように再生情報ファイルが生成されるものである。
【００１０】
本発明においては、各々の前記静止画像ファイルに基づき前記表示手段により画像が表示される時間が、所定時間以上になるように前記再生情報ファイルが生成される構成、又は、前記基準再生時間から前記動画ファイルに基づき前記表示手段により画像が表示される時間を引いた時間をＴｂ、前記静止画像ファイルの数をｎ、各々の前記静止画像ファイルに基づき前記表示手段により画像が表示される時間の最小値をＡとした場合に、Ｔｂ／ｎ＞Ａの場合は前記静止画像ファイル毎の表示時間をＴｂ／ｎに設定し、Ｔｂ≦Ａの場合は、前記静止画像ファイル毎の表示時間をＡに設定するように前記再生情報ファイルが生成される構成とすることができる。
【００１１】
また、本発明においては、前記静止画像ファイルに、予め楽曲音声情報が関連付けられた静止画像ファイルを含み、前記基準再生時間からは、前記動画ファイル及び前記予め楽曲音声情報が関連付けられた静止画像ファイルに基づき前記表示手段により画像が表示される時間が除かれ、前記予め楽曲音声情報が関連付けられた静止画像ファイルを除く各々の静止画像ファイルに基づき前記表示手段により画像が表示される時間が所定の割付方法で割り付られるように再生情報ファイルが生成される構成とすることもできる。
【００１２】
このように、本発明の構成によれば、ＣＤ−ＲやＤＶＤ−Ｒのようなディスク型記録媒体に、静止画像ファイルや動画ファイル、楽曲音声ファイルと共に音楽付きスライドショーを再生するための再生情報ファイルが、パソコン等のコンピュータ機器やＤＶＤプレーヤー、ＤＶＤレコーダー等の画像再生機器で再生できるように記録され、再生情報ファイルによって、静止画像ファイルに基づく画像が、基準再生時間から動画ファイル再生時間を引いた静止画像ファイル再生時間に基づいて割り付けられて再生されるため、いずれの機器を用いても画像と楽曲音声との整合がとれた一体感のあるスライドショーを再生することができる。
【００１３】
【発明の実施の形態】
従来技術で示したように、フィルムカメラやデジタルカメラで撮影した画像データをＣＤ−Ｒ等の記録媒体に記録するサービスを利用して静止画像ファイルを記録する際に楽曲音声ファイルや動画ファイルを記録し、スライドショーソフトを用いて再生することにより、ユーザはパソコン上で音楽付きスライドショーを再生することができる。また、これらのデータを画像再生機器で再生できる形式で記録することにより、画像再生機器上でも同様の音楽付きスライドショーを再生することができる。
【００１４】
しかしながら、静止画像ファイルに基づく画像が表示される際に再生される楽曲音声ファイルと、動画ファイルに含まれる楽曲音声ファイルとの関連性がなく、又、静止画像ファイルが楽曲音声ファイルの再生時間に関係なく割り付けられるため、例えば、静止画像ファイルと動画ファイルとが混在した状態で音楽付きスライドショーを再生する場合などでは、楽曲音声ファイルの再生終了時点と静止画像ファイルの再生終了時点とが一致せず、画像と楽曲音声との整合がとれないスライドショーとなってしまう。
【００１５】
そこで、本発明では、静止画像ファイルと楽曲音声ファイルと動画ファイルとを、パソコン等のコンピュータ機器用及びＤＶＤプレーヤー、ＤＶＤレコーダー等の画像再生機器用のデータとして記録媒体に記録する際に、再生情報ファイル生成プログラムにより、静止画像ファイル及び動画ファイルの表示順やスライド効果等のスライドショー設定情報、静止画像ファイルを表示する際に再生する楽曲音声ファイルの指定情報、及び基準再生時間から動画ファイルの再生時間を引いた静止画像ファイル再生時間と静止画像ファイルの数とに基づいて設定した割り付け情報を含む再生情報ファイルが作成され、上記データと共に記録媒体に記録されるため、画像と楽曲音声の整合が図られた一体感のあるスライドショーを再生することができる。
【００１６】
【実施例】
上記した本発明の実施の形態についてさらに詳細に説明すべく、本発明の一実施例に係る再生情報ファイル生成プログラムついて、図１乃至図９を参照して説明する。図１及び図２は、本発明の一実施例に係る入力データ記録装置の構成を模式的に示す図であり、図３は、入力データ記録装置の機能を示すブロック図である。また、図４は、入力データの記録手順を示すフローチャート図であり、図５は、入力データ記録装置に表示されるスライドショー編集画面の構成を示す図である。また、図６及び図７は、スライドショーの再生手順を模式的に示す図であり、図８は、記録媒体のフォルダ構成を示す図、図９は、記録媒体におけるデータの記録領域を示す図である。本発明は、画像と楽曲音声との整合がとれた音楽付きスライドショーを再生するための再生情報ファイルを生成するプログラムに関するが、以下では理解を容易にするために、再生情報ファイル生成プログラムがインストールされた入力データ記録装置全体について記載する。
【００１７】
なお、本明細書で使用する「静止画像ファイル」とは、１枚の独立した画像データを意味し、全ての画素のデータがそのまま書かれているものや、冗長度を省いて圧縮したデータとして書かれているもの、楽曲音声ファイルを含むもの、楽曲音声ファイルのリンク情報を記載されたもの（以下、楽曲音声付き静止画像ファイルと呼ぶ。）などを含む。例えば、パソコン等のコンピュータ機器で表示可能な形式としてはＪＰＥＧ方式で圧縮されたものが一般的であり、ＤＶＤプレーヤー等の画像再生機器で再生可能な形式としてＶｉｄｅｏ−ＣＤ形式やＤＶＤ−Ｖｉｄｅｏ形式などがあるが、他の方式で圧縮されたファイルや圧縮されていないファイルであってもよい。
【００１８】
また、「動画ファイル」とは、ある一定時間間隔で画像を切り変えて表示するためのデータを意味し、静止画像ファイルを基に作成されたファイルも含む。例えば、ＭＰＥＧなどのファイルは、基準となる画像のデータは独立したデータとして書かれ、それ以降は基準画像との差分だけが記録されるものであり、基準画像としての静止画像ファイルに差分０のデータを記録すれば静止画像ファイルから動画ファイルが作成される。
【００１９】
また、「スライドショー」とは、一般にスライド（静止画像ファイル）が連続的に表示されるものを言うが、本明細書では、静止画像ファイルのスライド表示に混在して動画ファイルが表示されるものや、静止画像ファイルに基づいて作成された動画ファイルを含む複数の動画ファイルが連続して再生されるものもスライドショーと呼ぶものとする。
【００２０】
まず、本発明の一実施例に係る入力データ記録装置の構成について、図１を参照して説明する。本実施例の入力データ記録装置１は、スマートメディア、コンパクトフラッシュ（登録商標）、メモリースティック（登録商標）、ＳＤメモリーカード、マルチメディアカードなどのファイル（静止画像ファイル又は動画ファイル、楽曲音声ファイル）が記録された記録媒体（以下、入力用メディア１３と呼ぶ。）を装填する入力用メディア装填部２ａ、写真フィルムをスキャンして得られた画像データなどが記録された入力用記録媒体１４を装填する入力用記録媒体装填部２ｂ、デジタルカメラ１５やカメラ付き携帯電話機１６等の撮影機器（以下、カメラ機能を備えたデジタル機器を撮影機器と呼ぶ。）から有線又は無線、赤外線等によって画像データを読み取るための機器接続部３、必要に応じて、通信ネットワーク１９を介して他のコンピュータ機器やサーバ１８と接続するためのネットワーク接続部等のデータ入力手段と、これらの記録媒体や撮影機器から読み取った画像データを記録するＣＤ−ＲやＤＶＤ−Ｒ等の出力用記録媒体１７を装填する出力用記録媒体装填部４と、スライドショーの設定等の操作を行う操作部６及び表示部５とを備えている。
【００２１】
また、入力データ記録装置１の機能をブロック図で示すと図３のようになる。すなわち、入力用メディア装填部２ａ、入力用記録媒体装填部２ｂ、機器接続部部３、ネットワーク接続部等を用いてコンピュータ機器２０で再生可能な静止画像ファイルや動画ファイル、楽曲音声ファイル等を入力するデータ入力手段７と、表示部５や操作部６を用いて、入力した静止画像ファイルや動画ファイル、楽曲音声ファイルを用いて音楽付きスライドショーとして表示するための編集等を行うデータ編集手段８と、音楽付きスライドショーをパソコン等のコンピュータ機器２０及びＤＶＤプレーヤー等の画像再生機器２１で再生するためのデータ変換や再生情報ファイルを生成するデータ作成手段９と、各種ファイルやアプリケーション、コンテンツ等を、コンピュータ機器２０及び画像再生機器２１の双方で再生できるように記録順序を制御するデータ転送手段１０と、データ転送手段１０によって転送されたデータを出力用記録媒体１７に書き込むデータ記録手段１１と、音楽付きスライドショーを再生するためのスライドショープログラムや再生情報ファイル生成プログラム等を記憶するデータ記憶手段１２とを備えている。
【００２２】
また、データ作成手段９には、入力された静止画像ファイルを基に動画ファイルを生成する動画ファイル作成手段９ａと、スライド表示順、スライド効果、楽曲音声ファイルの指定、静止画像ファイルの割り付け情報等を含む再生情報ファイルを作成する再生情報ファイル作成手段９ｂとを備え、更に、再生情報ファイル作成手段９ｂには、楽曲音声ファイルの長さや出力用記録媒体１７の容量に基づいて設定される基準音声再生時間から動画ファイル及び楽曲音声付き静止画像ファイルの再生時間を引いて楽曲音声付き静止画像ファイル以外の静止画像ファイル（以下、楽曲音声無し静止画像ファイルと呼ぶ。）の再生時間を算出する静止画像ファイル再生時間演算手段９ｃと、静止画像ファイル再生時間を楽曲音声無し静止画像ファイルの数で割った値を予め定めた最小再生時間と比較して楽曲音声無し静止画像ファイルのスライド間隔を設定するスライド間隔設定手段９ｄとを備えている。
【００２３】
なお、図１では卓上型の入力データ記録装置１を記載しているが、入力データ記録装置１の形態は任意であり、例えば、図２に示すようにコンビニエンスストア等に設置可能なキオスク型の装置としてもよい。また、本実施例では入力データ記録装置１を単体で動作する装置として記載しているが、例えば、ネガフィルムを現像する装置や現像済みの写真フィルムをスキャンして画像情報を読み取る装置等と合体した装置としてもよい。
【００２４】
上記構成の入力データ記録装置１を用いて、データを入力してから出力用記録媒体１７にデータが記録されるまでの手順について、図４のフローチャート図を参照して説明する。
【００２５】
まず、ステップＳ１０１において、入力データ記録装置１の入力メディア装填部２ａや入力用記録媒体装填部２ｂにデータが書き込まれた入力用メディア１３やＣＤ−Ｒ等の入力記録媒体１４を装填したり、機器接続部３にデジタルカメラ１５やカメラ付き携帯電話機１６等の撮影機器を接続したり、ネットワーク接続部を用いて通信ネットワーク１９を介して他のコンピュータ機器やサーバ１８に接続する等の各種方法により、データ入力手段７を用いて所望のデータを入力する。
【００２６】
ここで、入力するデータには、静止画像ファイルと、静止画像ファイルをスライドショーとして表示する際に再生される楽曲音声ファイルと、動画ファイルとを含む構成と基本とするが、予めデータ記憶手段１２に記憶された楽曲音声ファイルを使用する場合は楽曲音声ファイルを省略してもよい。また、動画ファイルとして静止画像ファイルから作成された動画ファイルのみを用いる場合は、動画ファイルを省略することもできる。
【００２７】
次に、ステップＳ１０２で、データ編集手段８を用いて、入力されたデータを音楽付きスライドショーとして再生するための各種設定を行う。具体的には、図６に示すようなスライドショー編集画面２２を表示部５に表示し、操作部６を用いて設定する。このスライドショー編集画面２２には、データ入力手段７で取り込んだ静止画像ファイルや動画ファイルの基準画像を縮小したサムネイル画像２３、２４を表示する画像表示欄２２ａと、スライドショーの画像表示に関する設定を行うスライドショー設定欄２２ｂと、静止画像ファイルと共に再生する楽曲音声ファイルに関する設定を行うＢＧＭ設定欄２２ｃと、設定したスライドショーを確認しコンピュータ機器２０や画像再生機器２１への書き込みを指示するボタンが設けられたスライドショー記録指示欄２２ｄとが設けられている。
【００２８】
そしてユーザは、操作部６を用いて、画像表示欄２２ａに表示されたデータの中からスライドショーとして表示するデータを選択し、スライドショー設定欄２２ｂでスライド切替効果（例えば、ランダムに表示するか選択順に表示するか等の設定）、一連のデータを表示したらスライドショーを終了するか繰り返し再生するかの選択等を行い、ＢＧＭ設定欄２２ｃで静止画像ファイルを表示する際に再生する楽曲音声ファイルの選択、楽曲音声ファイルを１回のみ再生するか繰り返し再生するかの選択を行う。そして、スライドショー記録指示欄２２ｄで選択したデータの確認、並び替えを行い、必要に応じて選択した画像に対して音声を入力したり編集したスライドショーを再生して内容を確認し、ＰＣ用書き込みボタン又はＤＶＤプレーヤー用書き込みボタンをクリックして各々の機器用のデータの記録を指示する。
【００２９】
次に、コンピュータ機器２０用のデータを作成する場合は、ステップＳ１０３で静止画像ファイル再生時間演算手段９ｃを用いて、楽曲音声ファイルの再生時間や出力用記録媒体１７の容量等に基づいて設定され、又は任意に設定される基準再生時間から動画ファイル又は楽曲音声付き静止画像ファイルの再生時間を引いて静止画像ファイル再生時間（Ｔｂ）を演算する。
【００３０】
上記基準再生時間を楽曲音声ファイルの再生時間に基づいて設定する場合は、楽曲音声ファイルのデータ長やヘッダに記録された情報を取得して該情報を参照して設定すればよく、例えば、１つの楽曲音声ファイルを１回のみ再生する場合はその楽曲音声ファイルのデータ長、複数の楽曲音声ファイルを１回のみ再生する場合はそれらの楽曲音声ファイルを足し合わせたデータ長、１つの楽曲音声ファイルをｍ回繰り返して再生する場合はその楽曲音声ファイルのデータ長をｍ倍した値を参照することができる。また、出力用記録媒体１７の容量に基づいて設定する場合は、データ記録手段１１から出力用記録媒体１７の容量情報を取得して該情報を参照して設定すればよく、例えば、該容量の出力用記録媒体１７に標準的なデータサイズの静止画像ファイルを記録した場合のファイル数から算出される標準的な再生時間を参照することができる。
【００３１】
次に、ステップＳ１０４で、スライド間隔設定手段９ｄを用いて、演算した静止画像ファイル再生時間（Ｔｂ）を楽曲音声無し静止画像ファイルの数（ｎ）で割り、その値と予め定めた静止画像ファイルの最小再生時間（Ａ）とを比較し、Ｔｂ／ｎ＞Ａの場合は、ステップＳ１０５で、各々の静止画像ファイルの再生時間（スライド間隔）をＴｂ／ｎに設定し、Ｔｂ／ｎ≦Ａの場合は、ステップＳ１０６で、各々の静止画像ファイルの再生時間（スライド間隔）をＡに設定する。
【００３２】
そして、ステップＳ１０９で、スライド表示順、スライド効果、楽曲音声ファイルの指定情報や、ステップＳ１０５又はステップＳ１０６で設定された楽曲音声無し静止画像ファイルの割り付け情報（スライド間隔）等を含む再生情報ファイルを作成し、ステップＳ１１０で静止画像ファイルと楽曲音声ファイルと動画ファイルとスライドショー再生情報ファイルとを組とするコンピュータ機器２０用ファイル群を生成する。
【００３３】
この再生情報ファイルによって、コンピュータ機器２０では図６に示すように音楽付きスライドショーの動作が制御される。例えば、音楽付きスライドショーを開始すると、まず、１番目の楽曲音声無し静止画像ファイル（Ｓｔｉｌｌ１）が表示されると共に、選択された楽曲音声ファイル（ＢＧＭ１）が再生される。次にステップＳ１０５又はＳ１０６で設定された時間（スライド間隔）経過後、１番目の動画ファイル（Ｍｏｖｉｅ１）又は楽曲音声付き静止画像ファイルが表示される。その際、動画ファイル又は楽曲音声付き静止画像ファイルに含まれる（又はリンクされた）楽曲音声を再生し、その間はＢＧＭ１の音を消す。そして、Ｍｏｖｉｅ１の再生が終了したら、２番目の楽曲音声無し静止画像ファイル（Ｓｔｉｌｌ２）を上記スライド間隔で表示すると共に再びＢＧＭ１（又は次の楽曲音声ファイル）を発音させ、以下同様に静止画像ファイルと楽曲音声ファイルと動画ファイルを再生する。
【００３４】
なお、再生する静止画像ファイルや動画ファイル、楽曲音声ファイルの数、表示・再生順等は任意であり、図６の構成に限定されない。また、動画ファイル（Ｍｏｖｉｅ１）を再生する際に、その前に再生された静止画像ファイル（Ｓｔｉｌｌ１）を消去してもよいが、動画ファイルのサイズが小さい場合には、画面構成上、サイズの小さい動画ファイルのみを表示するよりも静止画像ファイルも表示した方が見栄えがよい。従って、動画ファイル再生時はその前に再生された静止画像ファイルの上に動画ファイルを重ねて表示する構成としてもよい。
【００３５】
また、動画ファイル又は楽曲音声付き静止画像ファイルに楽曲が記録されている場合は静止画像ファイルと共に再生する楽曲音声ファイル（ＢＧＭ１）の音を消す構成としているが、動画ファイル又は楽曲音声付き静止画像ファイルに音声のみが記録されている場合はＢＧＭ１の音を完全には消さずに小さい音量で再生する構成としてもよい。
【００３６】
更に、静止画像ファイルと共に再生する楽曲音声ファイルや動画ファイルに含まれる楽曲音声ファイルは、画像切替時に瞬間的に音をオン／オフしてもよいが、唐突に音楽が切り替わると違和感を感じる場合もあるため、楽曲音声ファイルの音量を徐々に大きく（又は小さく）する制御をしてもよい。例えば、図６の構成の場合は、Ｓｔｉｌｌ１の表示時間終了直前からＭｏｖｉｅ１の再生開始直後まで徐々にＢＧＭ１の音量を小さく（フェードアウト）し、一方、Ｍｏｖｉｅ１の楽曲音声ファイルは動画ファイルの再生開始時から徐々に音量を大きく（フェードイン）するように制御することもできる。このフェードイン／フェードアウトの時間は任意に設定することができ、スライド間隔に応じて変化させる等、適宜設定すればよい。
【００３７】
また、画像再生機器２１用のデータを作成する場合は、同様にステップＳ１０３で静止画像ファイル再生時間演算手段９ｃを用いて、基準再生時間から動画ファイル（楽曲音声付き静止画像ファイルから作成される動画ファイルを含む）の再生時間を引いて楽曲音声無し静止画像ファイルから作成される動画ファイル再生時間（Ｔｂ）を算出する。次に、ステップＳ１０４で、スライド間隔設定手段９ｄを用いて、演算した再生時間（Ｔｂ）と楽曲音声無し静止画像ファイルから作成される動画ファイルの数（ｎ）と予め定めた最小再生時間（Ａ）とを参照して各々の静止画像ファイルから作成される動画ファイルの再生時間（ここでは表示間隔）を設定する。
【００３８】
次に、ステップＳ１０８で動画作成手段９ａを用いて静止画像ファイルから動画ファイルを作成する。静止画像ファイルから動画ファイルを作成する方法は特に限定されないが、例えば、静止画像ファイルを７２０ｐｉｘｅｌ×４８０ｐｉｘｅｌ程度のサイズに縮小し、１秒当たり３０フレーム程度の静止画像ファイルを上記表示間隔で指定される時間だけ重ね合わせればよい。なお、画像再生機器２１によってはｊｐｅｇ等の静止画像ファイルを表示することができる場合もあり、その場合には再生画像ファイルから動画ファイルを作成しなくてもよい。
【００３９】
そして、ステップＳ１０９で、動画ファイルの再生順、楽曲音声ファイルの指定情報や、静止画像ファイルから作成された動画ファイルの再生時間情報（再生間隔）等を含む再生情報ファイルを作成し、ステップＳ１１０で静止画像ファイルから作成した動画ファイル（又は静止画像ファイル）と楽曲音声ファイルと予め入力された動画ファイルと再生情報ファイルとを組とする画像再生機器２１用ファイル群を生成する。
【００４０】
この再生情報ファイルによって、画像再生機器２１では図７に示すように動画ファイルの再生が制御される。例えば、再生を開始すると、まず、楽曲音声無し静止画像ファイルから生成された動画ファイル（図６のＳｔｉｌｌ１と同じ）を表示すると共に、選択された楽曲音声ファイル（ＢＧＭ１）を再生し、ステップＳ１０５又はＳ１０６で設定された再生間隔経過後、独立して又はＳｔｉｌｌ１上に動画ファイル（Ｍｏｖｉｅ１）又は楽曲音声付き静止画像ファイルから生成された動画ファイルを表示する。その際、動画ファイルに含まれる（又はリンクされた）楽曲音声を再生し、その間はＢＧＭ１の音を消す。そして、Ｍｏｖｉｅ１の再生が終了したら、楽曲音声無し静止画像ファイルから生成された動画ファイル（図６のＳｔｉｌｌ２と同じ）を上記再生間隔で表示すると共にＢＧＭ１（又は次の楽曲音声ファイル）を再び発音し、以下同様に静止画像ファイルから作成された動画ファイルと楽曲音声ファイルと予め入力された動画ファイルとを再生する。
【００４１】
なお、動画ファイル又は楽曲音声付き静止画像ファイルから生成された動画ファイルに音声のみが記録されている場合にはＢＧＭ１を小さい音量で発音させる構成としてもよく、楽曲音声ファイルの音量を徐々に大きく（又は小さく）する制御をしてもよい。また、上記説明は静止画像ファイルを用いて作成した動画ファイルや予め入力された動画ファイルを別々のファイルとし、再生情報ファイルでこれらを関連付けて音楽付きスライドショーとして再生する場合であるが、静止画像ファイルを再生する機能を備えた機器の場合は、再生情報ファイルで静止画像ファイルの表示を制御して同様の音楽付きスライドショーを再生してもよい。
【００４２】
次に、コンピュータ機器用のデータと画像再生機器用のデータの書き込みを行うが、コンピュータ機器２０では、データが出力用記録媒体１７のどの領域に書き込まれていても読み込むことができるが、画像再生機器２１の場合、データシーク順（すなわち、データを読み込む順序）が設定されており、データが記録される領域によっては画像再生機器２１で読み込むことができなくなってしまう。そこで、画像再生機器用のデータが所定の領域（一般的にはディスク型記録媒体の場合は内側）に記録されるように記録順を制御する。
【００４３】
具体的には、ステップＳ１１１で、データ転送手段１０は、データ作成手段９で作成された画像再生機器２１用の動画ファイル、楽曲音声ファイル、再生情報ファイル、各種アプリケーション等（以下、これらを総称して画像再生機器用ファイル群と呼ぶ。）を、記憶手段１２に予め設けられた書き込み用の所定のフォルダに転送する。すると、データ記録手段１０は、該フォルダから画像再生機器用ファイル群を読み出して、図９に示すように、出力用記録媒体装填部４に装填されたＣＤ−Ｒ、ＤＶＤ−Ｒ等の出力用記録媒体１７の内側（画像再生機器用ファイル群記録領域１７ａ）に記録する。なお、ここで、動画ファイルの画像形式としてＭＰＥＧ１を用いＣＤ−Ｒに記録すればＶｉｄｅｏ−ＣＤ形式の出力用記録媒体１７を作成することができ、動画ファイルの画像形式としてＭＰＥＧ２を用いＤＶＤ−Ｒに記録すればＤＶＤ−Ｖｉｄｅｏ形式の出力用記録媒体１７を作成することができ、どの形式のデータに変換し、どのような種類の出力用記録媒体１７に記録するかをユーザが選択できる構成としてもよい。
【００４４】
次に、ステップＳ１１２で、データ記録手段１０は、コンピュータ機器２０用のデータの記録を行う前に、画像再生機器２１で使用可能なデータの領域を区分するために一旦セッションをクローズする。
【００４５】
次に、ステップＳ１１３で、データ転送手段１０は、データ入力手段７で入力したコンピュータ機器２０用の静止画像ファイルや動画ファイル、楽曲音声ファイル、再生情報ファイル、静止画像ファイルを音楽付きスライドショーとして表示するためのアプリケーション等（以下、これらを総称してコンピュータ機器用ファイル群と呼ぶ。）を、記憶手段１２に予め設けられた書き込み用の所定のフォルダに転送する。すると、データ記録手段１０は、該フォルダからコンピュータ機器用ファイル群を読み出して、図９に示すように出力用記録媒体１７に先に記録された画像再生機器用ファイル群の外側（コンピュータ機器用ファイル群記録領域１７ｂ）に記録する。
【００４６】
上記手順でデータ及びプログラムが書き込まれた出力用記録媒体１７は、例えば、図８に示すようなファイルツリー構造となり、画像再生機器２１で再生するためのデータやアプリケーションなどが格納される画像再生機器用ファイル群格納部と、コンピュータ機器で再生するデータやアプリケーションなどが格納されるコンピュータ機器用ファイル群格納部とを含むように構成される。
【００４７】
上記画像再生機器用ファイル群格納部には、例えば、ＴＶ画面に静止画像ファイルを表示するためのアプリケーションなどの各種アプリケーションを格納するフォルダ（ＣＤＩ）と、動画ファイルを格納するフォルダ（ＭＰＥＧＡＶ）と、静止画像ファイルや楽曲音声ファイルを格納するフォルダ（ＳＥＧＭＥＮＴ）と、データをＶｉｄｅｏ−ＣＤ形式用データ等として関連付けるファイルや再生情報ファイルを格納するフォルダ（ＶＣＤ）とが含まれている。
【００４８】
また、コンピュータ機器用ファイル格納部には、例えば、各種データを一括して管理するためのフォルダ（ＰＳＤ）と、スライドショープログラムなどのアプリケーションや再生情報ファイルが格納されるアプリケーション格納部（ＡＰＰＬ）と、デザインなどの専用コンテンツが格納される専用コンテンツ格納部（ＣＯＮＴＥＮＴＳ）とが含まれ、ＰＳＤの下位の階層には、ロット毎のデータを格納するサブフォルダ（ＰＲＤ０００１２００３０２０３００１等）が形成され、そのサブフォルダには静止画像ファイル（Ｓｔｉｌｌ１．ｊｐｇ、Ｓｔｉｌｌ２．ｊｐｇ等）と動画ファイル（Ｍｏｖｉｅ１．ｊｐｇ等）と静止画像ファイル表示時に再生される楽曲音声ファイル（ＢＧＭ１．ｗａｖ）等が格納される。
【００４９】
なお、図８のファイルツリー構成は例示であり、アプリケーションや専用コンテンツは必ずしも必要ではなく、コンピュータ機器２０に予めスライドショープログラムがインストールされている場合はスライドショープログラムは不要である。また、出力用記録媒体１７に記録されたデータをパソコンで認識し自動的に再生するための情報ファイルや実行ファイルを含めたり、ロット毎のデータを格納するフォルダに静止画像ファイルに対応するサムネイルデータを含める構成とすることもできる。
【００５０】
このように、本実施例の入力データ記録装置１では、再生情報ファイル生成プログラムにより、画像と楽曲音声の整合を図りこれらを一体的に再生するためのスライドショーの再生情報ファイルが作成され、機器のデータシーク順を考慮して、静止画像ファイルや動画ファイル、楽曲音声ファイルと再生情報ファイルとが出力用記録媒体１７に記録されるため、ユーザは、出力用記録媒体１７を用いて、画像再生機器２１及びコンピュータ機器２０のどちらでも一体感のある音楽付きスライドショーを再生することができる。
【００５１】
【発明の効果】
以上説明したように、本発明の再生情報ファイル生成プログラムによれば、画像と楽曲音声とが整合して再生される音楽付きスライドショーを、ＤＶＤプレーヤーやＤＶＤレコーダー等の画像再生機器、又はパソコン等のコンピュータ機器で再生するための再生情報ファイルを生成することができる。
【００５２】
その理由は、静止画像ファイル及び動画ファイルの表示順やスライド効果等のスライドショー設定情報、基準再生時間から、動画ファイル又は楽曲音声付き静止画像ファイルに基づく画像が表示される時間を除いた時間に対して、各々の楽曲音声無し静止画像ファイルに基づく画像が表示される時間を所定の割付方法で割付られる情報等を含む再生情報ファイルが生成され、静止画像ファイルや動画ファイル、楽曲音声ファイルと再生情報ファイルとが組になってコンピュータ機器及び画像再生機器の双方で読み出せるように記録媒体に記録されるからである。
【図面の簡単な説明】
【図１】本発明の一実施例に係る入力データ記録装置の構成を示す外観図である。
【図２】本発明の一実施例に係る入力データ記録装置の他の構成を示す外観図である。
【図３】本発明の一実施例に係る入力データ記録装置の機能を示すブロック図である。
【図４】本発明の一実施例に係る入力データ記録方法の手順を示すフローチャート図である。
【図５】本発明の一実施例に係る入力データ記録装置に表示される画面構成例（スライドショー編集画面）の構成を示す図である。
【図６】コンピュータ機器におけるスライドショーの表示方法を模式的に示す図である。
【図７】画像再生機器におけるスライドショーの表示方法を模式的に示す図である。
【図８】本発明の一実施例に係る入力データ記録装置で作成される出力用記録媒体のフォルダ構成を示す図である。
【図９】本発明の一実施例に係る入力データ記録装置で作成される出力用記録媒体のデータ記録領域を模式的に示す図である。
【符号の説明】
１  入力データ記録装置
２ａ  入力用メディア装填部
２ｂ  入力用記録媒体装填部
３  機器接続部
４  ネットワーク接続部
５  表示部
６  操作部
７  データ入力手段
８  データ編集手段
９  データ作成手段
９ａ  動画ファイル作成手段
９ｂ  再生情報ファイル作成手段
９ｃ  静止画像ファイル再生時間演算手段
９ｄ  スライド間隔設定手段
１０  データ転送手段
１１  データ記録手段
１２  記憶手段
１３  入力用メディア
１４  入力用記録媒体
１５  デジタルカメラ
１６  カメラ付き携帯電話機
１７  出力用記録媒体
１７ａ  画像再生機器用ファイル群記録領域
１７ｂ  コンピュータ機器用ファイル群記録領域
１８  サーバ
１９  通信ネットワーク
２０  コンピュータ機器
２１  画像再生機器
２２  スライドショー編集画面
２２ａ  画像表示欄
２２ｂ  スライドショー設定欄
２２ｃ  ＢＧＭ設定欄
２２ｄ  スライドショー記録指示欄
２３  サムネイル画像（静止画データ）
２４  サムネイル画像（動画ファイル）
【図１】
2004343471.tif 000003
【図２】
2004343471.tif 000004
【図３】
2004343471.tif 000005
【図４】
2004343471.tif 000006
【図５】
2004343471.tif 000007
【図６】
2004343471.tif 000008
【図７】
2004343471.tif 000009
【図８】
2004343471.tif 000010
【図９】
2004343471.tif 000011